(57)【要約】【課題】本発明は、リーダライタ装置のアンテナ装置を印刷シリンダ内に挿入せずに、該印刷シリンダ内面に搭載したデータキャリアのデータの読み書きが可能な印刷用シリンダを提供する。【解決手段】電磁波を利用したデータキャリア（１０２）を備えた印刷用シリンダ（１０５）において、前記印刷用シリンダ（１０５）の両端開口部（１０３ａ、１０３ｂ）内径の最小値をφＤ、該印刷シリンダ（１０５）の内径をφａとし、前記データキャリア（１０２）の通信周波数の波長をλとしたとき、２λ／３．４１２＜φＤ≦φａである該印刷用シリンダ（１０５）の内面（１０４）に該データキャリア（１０２）を搭載したことを特徴とする印刷用シリンダである。【選択図】図１
2005074727.tif 000002
【特許請求の範囲】
【請求項１】
電磁波を利用したデータキャリア（１０２）を備えた印刷用シリンダ（１０５）において、前記印刷用シリンダ（１０５）の両端開口部（１０３ａ、１０３ｂ）内径の最小値をφＤ、該印刷シリンダ（１０５）の内径をφａとし、前記データキャリア（１０２）の通信周波数の波長をλとしたとき、２λ／３．４１２＜φＤ≦φａである該印刷用シリンダ（１０５）の内面（１０４）に該データキャリア（１０２）を搭載したことを特徴とする印刷用シリンダ。
【発明の詳細な説明】
【技術分野】
【０００１】
本発明は、電磁波を利用して情報の読み書きをするデータキャリアを搭載した印刷用シリンダに関するものである。
【背景技術】
【０００２】
例えば、グラビア印刷を行う場合、基本的にはイエロー・マゼンタ・シアン・ブラック（いわゆるＹＭＣＫ）の四色それぞれを用紙の上下両面に個別に印刷することになり、このため、合計８本の印刷用シリンダを使用することになる。
【０００３】
このような印刷用シリンダは、外周面に銅メッキが施されるとともに該銅メッキ面に化学処理等で製版が施される中空円筒形状を有しており、所定の印刷に使用された後、版面を形成する銅メッキおよび版面を保護するため銅メッキの表面に施されるクロムメッキとからなるバラードと呼ばれる部分が剥がされ、再度銅メッキが施された後に、製版が行われ、クロムメッキが施されて、次の印刷に使用されることになる。
【０００４】
印刷機の稼働率を上げるためには、所定の印刷を行っている最中に、その後行われる印刷のために印刷用シリンダの製版等の準備を行っておく必要があるため、一台の印刷機に対して、印刷に同時に使用される数を大幅に上回る数の印刷用シリンダが用意されることになり、複数の印刷機を同時に稼働させる場合には、さらに多数の印刷用シリンダが用意される。
【０００５】
しかも、印刷機毎に使用可能な印刷用シリンダが決まっている場合もあることから、これら印刷用シリンダの管理が非常に重要になってくる。
【０００６】
従来は、印刷用シリンダの軸部にそれぞれ個別のＩＤ番号を刻印し、この刻印されたＩＤ番号を作業者が直接目視で読み取って管理を行っている。
【０００７】
ところで、長期にわたる使用によって、印刷時に生じる汚れや製版のため繰り返し行われる化学処理により生じる腐食で、印刷用シリンダの軸部に刻印されたＩＤ番号は読み取りが困難になってしまうという問題があった。
【０００８】
そして、このようにＩＤ番号が不明になった場合には、他の印刷用シリンダのＩＤ番号をすべて確認することで不明なＩＤ番号を割り出す以外方法がなく、多大な労力と時間が必要になってしまう。
【０００９】
また、刻印であるがために、印刷用シリンダの管理には作業者の目祝および入力という不安定な要素が生じ、刻印を作業者が誤って読み取ったり、入力ミスが発生したりする恐れがあり、このようなミスが発生すると、すべての印刷用シリンダのＩＤ番号を再度確認しなければならず、やはり多大な労力と時間が必要になってしまう。
【００１０】
このため、本出願人は、印刷用シリンダの内面に電磁誘導方式で情報を発信するデータキャリアを配置することを考えた。
【００１１】
このような構成にすることで、印刷時の汚れが付いたり化学処理による腐食が生じたりしても、他と識別するためのシリンダ識別情報を常に確実に読み取ることができることになる。
【００１２】
しかしながら、上記のような電磁波を利用して情報のやり取りをするデータキャリアを
金属製のシリンダ内に搭載すると、金属物が無い状態と比較して、データキャリアとデータキャリアとの情報の読み書きを行うリーダライタ装置との通信距離が著しく短くなってしまう。
【００１３】
そこで、リーダライタ装置に接続されるアンテナ装置を工夫して、シリンダ内部にアンテナ装置が入るようにするなどして、データキャリアとの通信を行うことなどが考案されている（例えば、特許文献１参照）。
【００１４】
このようにリーダライタ装置のアンテナ装置をシリンダ内部に挿入することで、データキャリアとの通信は可能になるが、通信のたびにアンテナ装置をシリンダ内部に挿入しなければならず、煩雑であり、特に複数のシリンダが倉庫内に格納されている場合にそれらの情報を読み取ろうとすると、読取りの都度、アンテナ装置をシリンダ内に挿入することになり、自動装置などによりアンテナ装置を駆動するとした場合にも、アンテナ装置とシリンダの位置関係を正確にしないと、アンテナ装置をシリンダに衝突させてしまうなどの不具合が発生する。
【００１５】
以上のように、電磁波を利用して情報のやり取りをするデータキャリアを金属製のシリンダ内に搭載すると、金属物が無い状態と比較して、データキャリアとリーダライタ装置との情報の読み書きを行う満足するシステムがないのが現状である。
【特許文献１】特開２００１−３２２２４２号公報（第４−６頁、第２図）
【発明の開示】
【発明が解決しようとする課題】
【００１６】
本発明は、リーダライタ装置のアンテナ装置を印刷シリンダ内に挿入せずに、印刷シリンダ内面に搭載したデータキャリアのデータの読み書きが可能な印刷用シリンダを提供する。
【課題を解決するための手段】
【００１７】
本発明は、上記のような課題を解決する為に成されたもので、本発明の請求項１に係る発明は、電磁波を利用したデータキャリア（１０２）を備えた印刷用シリンダ（１０５）において、前記印刷用シリンダ（１０５）の両端開口部（１０３ａ、１０３ｂ）内径の最小値をφＤ、該印刷シリンダ（１０５）の内径をφａとし、前記データキャリア（１０２）の通信周波数の波長をλとしたとき、２λ／３．４１２＜φＤ≦φａである該印刷用シリンダ（１０５）の内面（１０４）に該データキャリア（１０２）を搭載したことを特徴とする印刷用シリンダである。
【発明の効果】
【００１８】
本発明は、印刷用シリンダの両端開口部内径の最小値をφＤ、該印刷シリンダの内径をφａとし、データキャリアの通信周波数の波長をλとしたとき、２λ／３．４１２＜φＤ≦φａである該印刷用シリンダの内面に該データキャリアを搭載することにより、通信距離が遠くて通信が困難なところからでもリードライトする事が可能となり、簡易に印刷用シリンダにデータキャリアを取り付けた管理システムを構築することができる。
【発明を実施するための最良の形態】
【００１９】
本発明を図１から図７に基づいて、実施するための最良の形態を詳細に説明する。
【００２０】
図１は、本発明による印刷用シリンダ（１０５）の１実施例を示す側断面図であり、図２は、本発明による印刷用シリンダ（１０５）内のデータキャリア（１０２）とリーダライタ装置（１０６）との通信の様子を示す説明図であり、図３は、本発明による印刷用シ
リンダ（１０５）の１実施例を示す側断面図であり、図４は、従来のリーダライタ装置（１０６）とデータキャリア（１０２）の通信の様子を示す説明図であり、図５は、本発明による印刷用シリンダ（１０５）内のデータキャリア（１０２）とリーダライタ装置（１０６）の通信距離の１実施例を示す断面図であり、図６は、矩形導波管（１０７）の側断面図であり、図７は、円形導波管（１０８）の側断面図である。
【００２１】
本発明による印刷用シリンダ（１０５）の１実施例を図１に示すように、該印刷用シリンダ（１０５）は、鉄やアルミニウムなどの金属の中空円筒形状を有しており、外周面（１０１）に銅メッキが施されるとともに該銅メッキ面に化学処理等で製版が施される。
【００２２】
製版された版面を形成する銅メッキと版面を保護するため銅メッキの表面にクロムメッキが施される。
【００２３】
内面（１０４）にはデータキャリア（１０２）が貼りつけられており、貼りつけに用いる接着剤または粘着剤は耐熱性や耐溶剤性、耐薬品性に優れたものを使用する。
【００２４】
データキャリア（１０２）は電磁波を利用して通信を行うので、データキャリア（１０２）は内部に電源を有しておらず、リーダライタ装置（１０６からの電磁波によってデータの送受信を行うとともに、データキャリア（１０２）自体の電力も賄っている。
【００２５】
使用する電磁波は一般的に数百ｋＨｚから数ＧＨｚまでの間が一般的であるが、印刷用シリンダ（１０５）は鉄やアルミニウムなど銅やクロムメッキなどが施された金属でできている。
【００２６】
したがって、電磁波は印刷用シリンダ（１０５）の外面（１０１）を通過できない為、リーダライタ装置（１０６）とデータキャリア（１０２）との通信は開口部（１０３ａ、１０３ｂ）から伝播する電磁波を利用する。
【００２７】
該電磁波は印刷用シリンダ（１０５）の開口部（１０３ａ、１０３ｂ）を通過して印刷用シリンダ（１０５）の中空を伝播してデータキャリア（１０２）と通信する。
【００２８】
図２に示すように、リーダライタ装置（１０６）とデータキャリア（１０２）との通信形態は、一般的に金属を筒状に加工した伝送路として導波管が知られている。
【００２９】
マイクロ波などの高周波の利用によく用いられる伝送路で、ある伝送周波数以上の電磁波は通過することができるが、それより低い周波数の電磁波を通さない性質がある。
【００３０】
その周波数を遮断周波数といい、その波長は遮断波長といわれている。
【００３１】
図６に示すように、矩形導波管（１０７）の側断面は、矩形導波管（１０７）の幅をａ、高さをｂとした場合の導波管の遮断波長λｃは、λｃ＝２ａで表される。
【００３２】
図７に示すように、導波管の断面が円形の筒状のものは円形導波管（１０８）といわれており、該円形導波管（１０８）における遮断波長λｃは、内径をφＤとすると、λｃ＝３．４１２φＤ／２となる。
【００３３】
したがって、任意の電磁波を通過させるために必要な内径φＤは、通過させる電磁波の波長をλとした場合、φＤ＞２λ／３．４１２となるようにすることで、波長λの電磁波を伝送することができる。
【００３４】
本発明においては、印刷用シリンダ（１０５）を円形導波管（１０８）に見立て、該印刷用シリンダ（１０５）の両端開口部（１０３ａ、１０３ｂ）内径の最小値をφＤ、該印刷シリンダ（１０５）の内径をφａとし、該最小値φＤを２λ／３．４１２＜φＤ≦φａとすることで、該印刷用シリンダ（１０５）を導波管として利用するものである。
【００３５】
以上のように、該印刷用シリンダ（１０５）の両端開口部（１０３ａ、１０３ｂ）内径の最小値をφＤ、該印刷シリンダ（１０５）の内径をφａとし、前記データキャリア（１０２）の通信周波数の波長をλとしたとき、２λ／３．４１２＜φＤ≦φａである該印刷用シリンダ（１０５）の内面（１０４）に該データキャリア（１０２）を搭載することにより、通信距離が遠くて通信が困難なところからでもリードライトする事が可能となり、簡易に印刷用シリンダ（１０５）にデータキャリア（１０２）を取り付けた管理システムを構築することができる。
【実施例１】
【００３６】
図３に示すように、印刷用シリンダ（１０５）はアルミニウムを用いて、長さＬ＝１，１００ｍｍとした。
【００３７】
印刷用シリンダ（１０５）の両端開口部（１０３ａ、１０３ｂ）の内径φＤは、最小内径となっており、φａは印刷用シリンダの内径、φｂは印刷用シリンダの外形で各々１６０ｍｍ、１９０ｍｍとした。
【００３８】
該両端開口部（１０３ａ、１０３ｂ）の内径寸法φＤは、データキャリア（１０２）の通信周波数に、２．４ＧＨｚ〜２．５ＧＨｚ程度が伝送できる様に、直径１００ｍｍとした。
【００３９】
外周面（１０１）には版面を形成する銅メッキと該銅メッキを保護するためのクロムメッキを施した。
【００４０】
シリンダ内面（１０４）のデータキャリア（１０２）の中心と開口部（１０３ｂ）の距離ｄ１を２００ｍｍとし、ここに該データキャリア（１０２）をエポキシ系接着剤で固定した。
【００４１】
該データキャリア（１０２）は、日本ＲＦソリューションズ社製の商品名「ＲＺ−２ＴＧ１」を用いた。
【００４２】
図４に示すように、リーダライタ装置（１０６）は、日本ＲＦソリューションズ社製のハンディ型リーダライタ装置（１０６）「ＲＺ−Ｒ１４５Ａ」を用いて、同社製データキャリア（１０２）「ＲＺ−２ＴＧ１」の通信距離Ｍを測定したころ、データキャリア（１０２）を木製の机上において測定した場合、通信距離Ｍは約３００ｍｍであった。
【００４３】
一方、図５（ａ）に示すように、本発明による印刷用シリンダ（１０５）内にデータキャリア（１０２）を搭載した場合、開口部（１０３ｂ）よりデータキャリア（１０２）までの距離ｄ１、開口部（１０３ｂ）からリーダライタ装置（１０６）までの距離ｄ２としたとき、ｄ１＋ｄ２の距離は、３００ｍｍ離れて通信ができた。
【００４４】
金属の無い場合と同様の通信距離が確保でき、また、図５（ｂ）に示すように、反対側の開口部（１０３ａ）よりも同様にｄ２が１００ｍｍ程度離れて通信が可能であり、ｄ１＋ｄ２の距離は１，０００ｍｍの通信ができたことになる。
【００４５】
以上のように、通常は３００ｍｍ程度の通信距離であるものが、本発明による印刷用シ
リンダ（１０５）を介した事により、1 ，０００ｍｍもの通信距離を確保することができた。
【図面の簡単な説明】
【００４６】
【図１】本発明による印刷用シリンダの１実施例を示す側断面図である。
【図２】本発明による印刷用シリンダ内のデータキャリアとリーダライタ装置との通信の様子を示す説明図である。
【図３】本発明による印刷用シリンダの１実施例を示す側断面図である。
【図４】従来のリーダライタ装置とデータキャリアの通信の様子を示す説明図である。
【図５】本発明による印刷用シリンダ内のデータキャリアとリーダライタ装置の通信距離の１実施例を示す断面図である。
【図６】矩形導波管の側断面図である。
【図７】円形導波管の側断面図である。
【符号の説明】
【００４７】
１０１…外面
１０２…データキャリア
１０３ａ…開口部
１０３ｂ…開口部
１０４…内面
１０５…印刷用シリンダ
１０６…リーダライタ装置
１０７…矩形導波管
１０８…円形導波管
【図１】
2005074727.tif 000003
【図２】
2005074727.tif 000004
【図３】
2005074727.tif 000005
【図４】
2005074727.tif 000006
【図５】
2005074727.tif 000007
【図６】
2005074727.tif 000008
【図７】
2005074727.tif 000009